(57)【要約】【課題】簡易に情景模型やレールのゲージが異なるものに交換して楽しむことができる机上用等に適した小型の鉄道模型を提供する。【解決手段】外観平板状のレイアウトベース１と、レイアウトベース１の上面１ａに着脱自在に設けられるレイアウトボード１５と、レイアウトボード１５の上面に環状に敷設された一対のレール１６と、レイアウトベース１の内部に組み込まれてレールに給電する直流電気回路３とを備え、レイアウトベース１の上面１ａには、直流電気回路３の出力側の第１の接点１０ａ、１０ｂが設けられるとともに、レイアウトボード１５の下面には、レイアウトボード１５をレイアウトベース１に取り付けた状態において第１の接点１０ａ、１０ｂと電気的に接続される第２の接点２３ａ、２３ｂが設けられ、第２の接点のプラス極２３ａおよびマイナス極２３ｂが各々一対のレール１６に接続されている。【選択図】図１
2018201745.tif 000002
【特許請求の範囲】
【請求項１】
外観平板状のレイアウトベースと、このレイアウトベースの上面に着脱自在に設けられるレイアウトボードと、このレイアウトボードの上面に環状に敷設された一対のレールと、上記レイアウトベースの内部に組み込まれて上記レールに給電する直流電気回路と、上記レール上に車輪によって走向自在に設けられるとともに上記レールから上記車輪を介して供給される直流電源によって上記車輪を回転させる直流モータが搭載された鉄道模型車両とを備えてなり、
上記レイアウトベースの上面には、上記直流電気回路の出力側の第１の接点が設けられるとともに、上記上面上に載置される上記レイアウトボードの下面には、当該レイアウトボードを上記レイアウトベースに取り付けた状態において上記第１の接点と電気的に接続される第２の接点が設けられ、上記第２の接点のプラス極およびマイナス極が各々上記一対のレールに接続されていることを特徴とする鉄道模型装置。
【請求項２】
上記第１の接点および第２の接点のいずれか一方は導電性マグネットであり、他方は着磁性接点であることを特徴とする鉄道模型装置。
【発明の詳細な説明】
【技術分野】
【０００１】
本発明は、鉄道模型車両をレイアウトボード上に設けられたレールに沿って電動走向させる机上用等に適した小型の鉄道模型装置に関するものである。
【背景技術】
【０００２】
従来から、鉄道に関わる趣味の一種として、下記特許文献１に見られるような、レイアウトベース上にレールを敷設し、このレール上に鉄道模型車輌を走向させる鉄道模型装置が愛好されている。
【０００３】
このような鉄道模型装置においては、一般的に、上記レールの周囲に情景模型（レイアウトまたはジオラマ）と呼ばれる鉄道を取り巻く風景を縮尺した模型を配置することにより、本物の風景の中を鉄道模型車両が走行してように擬似化させて楽しむものが好まれている。
【０００４】
ところで、上記従来の鉄道模型装置のうち、例えばＯゲージ（軌間：３２mm）やＨＯゲージ（同：１６．５mm）を用いて、広いスペースに設置される大掛かりな鉄道模型装置においては、上記情景模型としても複雑なものを構築することができるために、長期間にわたって鑑賞に飽きられることがない。
【０００５】
しかしながら、机上用等の狭いスペースに配置されるレールの軌間がＮゲージ（軌間：９ｍｍ）またはＺゲージ（同：６．５ｍｍ）といった小型の鉄道模型車両を走行させる簡易な鉄道模型装置においては、複雑な情景模型を配置することが難しく、鑑賞寿命が短いという問題点があった。
【０００６】
そこで、上記情景模型を一定期間毎に変更しようとすると、上記情景模型はレイアウトベース上に固定されているために、その撤去や新たな情景模型の組み立てに多くの手間や作業が必要になり、コストも嵩むという問題点があった。
【０００７】
加えて、鉄道模型車両を、例えばＮゲージからＺゲージに変更したい場合には、レールや当該レールとの電気的な接続部分を全て交換することが難しいために、結局新たなゲージの鉄道模型装置に買い換える必要が有り、費用が嵩むという問題点もあった。
【先行技術文献】
【特許文献】
【０００８】
【特許文献１】特開２００６−２０４４９１号公報
【発明の概要】
【発明が解決しようとする課題】
【０００９】
本発明は、上記事情に鑑みてなされたものであり、簡易に情景模型やレールのゲージが異なるものに交換して楽しむことができる机上用等に適した小型の鉄道模型を提供することを課題とするものである。
【課題を解決するための手段】
【００１０】
上記課題を解決するため、請求項１に記載の本発明に係る鉄道模型装置は、外観平板状のレイアウトベースと、このレイアウトベースの上面に着脱自在に設けられるレイアウトボードと、このレイアウトボードの上面に環状に敷設された一対のレールと、上記レイアウトベースの内部に組み込まれて上記レールに給電する直流電気回路と、上記レール上に車輪によって走向自在に設けられるとともに上記レールから上記車輪を介して供給される直流電源によって上記車輪を回転させる直流モータが搭載された鉄道模型車両とを備えてなり、上記レイアウトベースの上面には、上記直流電気回路の出力側の第１の接点が設けられるとともに、上記上面上に載置される上記レイアウトボードの下面には、当該レイアウトボードを上記レイアウトベースに取り付けた状態において上記第１の接点と電気的に接続される第２の接点が設けられ、上記第２の接点のプラス極およびマイナス極が各々上記一対のレールに接続されていることを特徴とするものである。
【００１１】
また、請求項２に記載の発明は、請求項１に記載の発明において、上記第１の接点および第２の接点のいずれか一方は導電性マグネットであり、他方は着磁性接点であることを特徴とするものである。
【発明の効果】
【００１２】
請求項１または２に記載の発明においては、内部に直流電気回路が組み込まれた外観平板状のレイアウトベースの上面に、一対のレールが環状に敷設されたレイアウトボードを着脱自在に設け、これらレイアウトベースとレイアウトボードの対向面に、当該レイアウトボードをレイアウトベースに取り付けた状態において互いに電気的に接続される第１および第２の接点を設けているために、特に小型の机上用等の小型の鉄道模型においても、上記レイアウトボードのみを、異なる情景模型および／または異なるゲージのレールを有する他のレイアウトボードに交換することにより、容易に異なった情景模型やゲージ用の鉄道模型装置に改変させて楽しむことができる。
【００１３】
この際に、請求項２に記載の発明によれば、上記第１の接点および第２の接点を、導電性マグネットと着磁性接点との組み合わせによって構成することにより、レイアウトボードを交換する際に、確実に第１および第２の接点を電気的に接続することができて好適である。
【図面の簡単な説明】
【００１４】
【図１】本発明の一実施形態を示すレイアウトボード側から見下げた分解斜視図である。
【図２】図１のレイアウトベース側から見上げた分解斜視図である。
【図３】図１のレイアウトベースを交換する状態を示す分解斜視図である。
【図４】図１のレイアウトベース内に組み込まれた直流電気回路を示す回路図である。
【発明を実施するための形態】
【００１５】
図１〜図４は、本発明に係る鉄道模型装置の一実施形態を示すもので、図中符号１がレイアウトベースである。
このレイアウトベース１は、合成樹脂、木材あるいは金属板によって内部が中空の長方形板状に形成されたもので、その面積はＢ４規格の用紙（257×364mm）以下、例えばＡ４規格の用紙と略同じ面積に形成されている。
【００１６】
そして、この鉄道模型装置においては、電源ケーブルとして、携帯電話やデジタルカメラ等のバッテリーの充填用として広く使用されている汎用の充電ＵＳＢケーブルが用いられている。この充電ＵＳＢケーブルは、家庭用の交流100Vを直流5Vに変換する変換器と、一端部のＵＳＢコネクタが上記変換器に接続されるＵＳＢケーブルとから構成されたもので、レイアウトベース１の側面には、ＵＳＢケーブルの他端部のマイクロＵＳＢコネクタが接続される接続口２が設けられるとともに、内部には図４に示すような直流電気回路３が組み込まれている。
【００１７】
この直流電気回路３は、接続口２から供給される直流電流の各極がそれぞれ後述する一対のレールに接続されるもので、回路をＯＮ−ＯＦＦさせるスイッチ４と、このスイッチ４がＯＮになった際に、通電を知らせるＬＥＤランプ５と、回路を流れる電流値を調整する可変抵抗器６と、回路の極を逆転させるスイッチ７とが組み込まれている。
【００１８】
そして、レイアウトベース１の側面には、上記スイッチ４、ＬＥＤランプ５、可変抵抗器６を操作するための操作ダイヤル８およびスイッチ７を操作するための切換ノブ９がそれぞれ設けられている。また、レイアウトベース１の上面には、上記電気回路３の出力側のプラス極およびマイナス極の接点（第１の接点）１０ａ、１０ｂが設けられている。
【００１９】
なお、図４に示す直流電気回路３において、符号１１は、異常電流が流れた場合に、一定時間電流を遮断して回路を保護するとともに自動復帰するポリスイッチであり、符号１２は、鉄道模型車両１４を低速で走行可能にするための整流用ダイオードであり、符号１３は、可変抵抗器６で鉄道模型車輌を減速させた時に、任意の地点で正確に鉄道模型車両１４を停止させるためのマイクロスイッチである。
【００２０】
そして、以上の構成からなるレイアウトベース１の上面１ａに、レイアウトボード１５が着脱自在に設けられている。
このレイアウトボード１５は、合成樹脂等によってレイアウトベース１の上面１ａと略同形の長方形板状に形成されたもので、その上面に一対のレール１６が敷設されている。
【００２１】
すなわち、上記レイアウトベース１の上面１ａには、合成樹脂によって成形された盛り土および枕木を模した環状の軌道部１７がレイアウトボード１５の裏面側からネジによって固定され、この軌道部１７上に一体成形された枕木間に、板面を鉛直方向に向けて環状に湾曲形成された帯板からなるレール１６が立設されている。
【００２２】
ここで、レール１６の軌間は、本実施形態においてはＮゲージ（軌間：９mm）に対応した寸法に設定されている。また、レイアウトボード１５におけるレール１６の内側および外側には、鉄道を取り巻く風景を縮尺した情景模型（図示を略す。）が配置されている。
【００２３】
他方、図２に示すように、レイアウトボード１５の裏面側の所定位置には、当該裏面から突出する円筒状の凸部１８が間隔をおいた複数箇所（図では、２箇所）に一体に形成されるとともに、レイアウトベース１の上面１ａには、これら凸部１８が挿入されることによりレイアウトボード１５をレイアウトベース１上の所定位置に位置決めするための孔部１９が穿設されている。
【００２４】
さらに、レイアウトベース１およびレイアウトボード１５の４角隅部には、それぞれ位置決めされたレイアウトボード１５を小ネジ２０によってレイアウトベース１に着脱自在に取り付けるためのネジ穴２１、２２が形成されている。
【００２５】
そして、レイアウトボード１５の裏面側には、凸部１８と孔部１９とによってレイアウトボード１５が位置決めされた位置において、レイアウトベース１上のプラス極およびマイナス極の接点（第１の接点）１０ａ、１０ｂと電気的に接続されるプラス極およびマイナス極の接点（第２の接点）２３ａ、２３ｂが設けられている。
【００２６】
ちなみに、本実施形態においては、第１の接点１０ａ、１０ｂとして、着磁性の接点が用いられるとともに、第２の接点２３ａ、２３ｂとして導電性マグネットが用いられている。そして、第２の接点のプラス極２３ａおよびマイナス極２３ｂが、各々一対のレール１６に接続されている。
【００２７】
このようにしてレイアウトベース１に取り付けられたレイアウトボード１５上のレール１６上に、鉄道模型車両１４が車輪を介して走向されるようになっている。
この鉄道模型車両１４は、車輪の間隔がＮゲージに対応した寸法に設定されるとともに、内部には車輪を駆動するための直流モータが搭載されている。
【００２８】
この直流モータとしては、定格電圧4.5V、無負荷回転数35,000rpm、無負荷電流70mAあるいは定格電圧3.0V、無負荷回転数21,000rpm、無負荷電流26mAの汎用のモータが用いられている。また、鉄道模型車両１４の側面には各々集電板が設けられており、レール１６から上記集電板を介してモータに直流電源を供給するようになっている。
【００２９】
以上の構成からなる鉄道模型装置においては、内部に直流電気回路３が組み込まれた外観平板状のレイアウトベース１の上面１ａに、一対のレール１６が環状に敷設されたレイアウトボード１５を着脱自在に設け、これらレイアウトベース１とレイアウトボード１５の対向面に、レイアウトボード１５をレイアウトベース１に取り付けた状態において互いに電気的に接続される第１の接点１０ａ、１０ｂおよび第２の接点２３ａ、２３ｂを設けているために、特に小型の机上用等の小型の鉄道模型においても、図３に示すように、レイアウトボード１５のみを、情景模型が異なるとともにレール２６の軌間が例えばＺゲージ（６．５mm）のレイアウトボード２５に交換することにより、容易にこれまでとは異なる情景を有してＺゲージ用の鉄道模型車両２４を走行させる鉄道模型装置に改変させて楽しむことができる。
【００３０】
しかも、レイアウトボード１５またはレイアウトボード２５をレイアウトベース１に取り付ける際に、第１の接点１０ａ、１０ｂおよび第２の接点２３ａ、２３ｂを、導電性マグネットと着磁性接点との組み合わせによって構成しているために、確実に第１の接点１０ａ、１０ｂに第２の接点２３ａ、２３ｂを電気的に接続することができる。
【００３１】
さらに、レール１６（２６）上に鉄道模型車両１４（２４）を配置し、家庭用の電源コンセントに差し込んだ充電ＵＳＢケーブルのマイクロＵＳＢコネクタをレイアウトベース１の接続口２に差し込んで、スイッチ４を入れて操作ダイヤル８を操作することにより、大型のコントローラ等を要することなく、レール１６、２６から鉄道模型車両１４、２４の直流モータを駆動させて走向させることができる。
【００３２】
また、例えばパーソナルコンピュータに設けられた直流電源が供給可能なＵＳＢコネクタに、ＵＳＢケーブルのＵＳＢコネクタを接続してレイアウトベース１に給電したり、あるいは携帯電話やスマートフォンの充電池に差し込んだＵＳＢケーブルのマイクロＵＳＢコネクタをレイアウトベース１の接続口２に差し込んで給電したりすることもできる。
【００３３】
なお、上記実施形態においては、汎用のＵＳＢケーブルを接続口２に接続して直流電源回路３に給電する場合についてのみ説明したが、本発明はこれに限定されるものでは無く、ケーブルを用いることなく、上記レイアウトベース１内に乾電池や充電池を組み込んで直流電源回路３に給電するようにしてもよい。
【００３４】
また、第１の接点１０ａ、１０ｂおよび第２の接点２３ａ、２３ｂの材質についても、上述した導電性マグネットと着磁性接点との組み合わせに限らず、導電性スポンジや導電性スプリング等を用いても、両者を確実に電気的に接続することができるという同様の効果を得ることができる。
【符号の説明】
【００３５】
１  レイアウトベース
３  直流電気回路
１０ａ  プラス極の接点（第１の接点）
１０ｂ  マイナス極の接点（第１の接点）
１４、２４  鉄道模型車両
１５、２５  レイアウトボード
１６、２６  レール
２３ａ  プラス極の接点（第２の接点）
２３ｂ  マイナス極の接点（第２の接点）
【図１】
2018201745.tif 000003
【図２】
2018201745.tif 000004
【図３】
2018201745.tif 000005
【図４】
2018201745.tif 000006